(57)【要約】      （修正有）【課題】コストに関して従来の機械的技術と同様であるが、機能の点において従来の技術を大幅に上回る電気機械的駆動体を有するタコメータ指針計器を提供する。【解決手段】オートバイ用のタコメータ指針計器は、ハウジング基部３２及び少なくとも部分的に透明なハウジングカバーを有するハウジングと、ハウジング基部３２内に受け入れられた指針駆動モジュール３４と、ハウジングカバーを通して見ることができる数字目盛盤とを備えている。指針駆動モジュール３４は、共通のプリント回路板４２上に構成されたステッピングモータ３６と、制御電子装置３８と、表示装置４０とを有しており、指針駆動モジュール３４はハウジング基部３２に形成された支持構造体７６に締結されている。【選択図】図５
2004212397.tif 000002
【特許請求の範囲】
【請求項１】
ハウジング基部（３２）及び少なくとも一部分が透明のハウジングカバーを有するハウジング（３０）と、ハウジング基部（３２）内に受け入れられた指針駆動モジュール（３４）と、ハウジングカバーを通して見ることのできる数字目盛盤ダイヤルとを更に備える、オートバイ用のタコメータ指針計器において、指針駆動モジュール（３４）が、共通のプリント回路板（４２）上に構成されたステッピングモータ（３６）と、制御電子装置（３８）と、表示装置（４０）とを有し、指針駆動モジュール（３４）が、ハウジング基部（３２）に形成された支持構造体（７６）に締結されることを特徴とする、オートバイ用のタコメータ指針計器。
【請求項２】
請求項１に記載の指針計器において、プリント回路板（４２）が、支持構造体（７６）によりハウジング基部（３４）内に配置されることを特徴とする、指針計器。
【請求項３】
請求項２に記載の指針計器において、ハウジング基部（３４）が、プリント回路板（４２）の周縁領域が成形嵌めの仕方にて内部に保持される凹部（７０）を有することを特徴とする、指針計器。
【請求項４】
請求項１乃至３の何れかに記載の指針計器において、ハウジング基部（３２）の外側には、ハウジング基部（３２）に貫入する複数の接続ピン（６２）を取り巻くプラグソケット（６０）が形成され、接続ピン（６２）が、ハウジング（３０）内でプリント回路板（４２）と接続されることを特徴とする、指針計器。
【請求項５】
請求項４に記載の指針計器において、接続ピン（６２）の内端がプリント回路板（４２）の接点穴に直接挿入されることを特徴とする、指針計器。
【請求項６】
請求項１乃至５の何れかに記載の指針計器において、プリント回路板（４２）には、光ガイド（５２）が光学的に接続される光放出構成要素（５０）が装填されることを特徴とする、指針計器。
【請求項７】
請求項６に記載の指針計器において、光放出構成要素（５０）が発光ダイオードであることを特徴とする、指針計器。
【請求項８】
請求項６又は７に記載の指針計器において、光ガイド（５２）が、照明可能である数字目盛盤の標識と関係付けられることを特徴とする、指針計器。
【請求項９】
請求項１乃至８の何れかに記載の指針計器において、光源が、表示装置と関係付けられることを特徴とする、指針計器。
【請求項１０】
請求項１乃至９の何れかに記載の指針計器において、数字目盛盤と関係された表示装置（４０）が、ハウジング下方端縁とステッピングモータ（３６）の指針駆動軸との間に配置されることを特徴とする、指針計器。
【請求項１１】
請求項１乃至１０の何れかに記載の指針計器において、制御電子装置（３８）が、マイクロコンピュータを備え、制御電子装置（３８）の機能性が、マイクロコンピュータにて作動する個別に適応させたソフトウェアによって決定されることを特徴とする、指針計器。
【請求項１２】
請求項１乃至１１の何れかに記載の指針計器において、制御電子装置（３８）が、ステッピングモータ（３６）を制御することに加えて、次の機能、すなわち
合計距離、
再設定可能なトリップメータ、
燃料の充填量、
時間、
油の温度の機能の少なくとも１つにて表示装置（４０）を制御することを含むことを特徴とする、指針計器。
【発明の詳細な説明】
【技術分野】
【０００１】
本発明は、ハウジング基部及び少なくとも一部分が透明であるハウジングカバーを有するハウジングと、ハウジング基部内に保持された指針駆動モジュールと、ハウジングカバーを通して見ることのできる数字目盛盤とを備える、オートバイ用のタコメータ指針計器に関する。従来の指針計器は、タコ軸が接続された機械的指針駆動モジュールと、タコ軸に同様に接続されたキロメータカウンタとを有している。更に、例えば、燃料の充填量又は点滅制御のため、更なる表示計器又は表示標識をハウジング内で一体化することができる。
【背景技術】
【０００２】
タコメータ指針計器用の電気機械的駆動体も既知である。これらの駆動体は、ステッピングモータと、その入力信号がホールセンサによって提供される制御電子装置とを有している。電気機械的駆動体は、タコ軸が存在しないことに伴い、磨耗しないこと、及び表示が正確であるという明瞭に有利な効果を有する。しかし、かかる駆動体を備える簡単なオートバイ用としてタコメータ指針計器を装備することは、コスト上の理由のため、従来、考えられなかった。
【発明の開示】
【発明が解決しようとする課題】
【０００３】
本発明は、コストに関して従来の機械的技術と同程度であるが、機能の点にて従来の技術を大幅に上廻る電気機械的駆動体を有するタコメータ指針計器を提供することである。
【課題を解決するための手段】
【０００４】
本発明によるタコメータ指針計器は、共通のプリント回路板上に構成された、ステッピングモータと、制御電子装置と、表示装置とを有し、ハウジング基部に形成された支持構造体に締結された指針駆動モジュールを備えている。利用可能な異なるハウジング構造体に容易に接続できる汎用型モジュール内に幾つかの構成要素を一体化するため、効率的な大量生産にとって必須の前提条件である多量の生産量が可能となる。
【０００５】
本発明の好ましい実施の形態において、プリント回路板は、支持構造体によってハウジング基部内に配置される。これにより、設置の許容公差が解消される。更に、好ましくは、ハウジング基部は、プリント回路板の一つの端縁が成形嵌め（ｆｏｒｍ−ｆｉｔｔｉｎｇ）の仕方にて保持される凹部を有している。このようにして、指針駆動軸の下方の数字目盛盤内で表示装置に対する十分に大きい表面積が提供される。支持構造体は、一体に成形したドーム形部分と、その上にプリント回路板がねじによって締結されるソケット又はポストとを備えている。
【０００６】
更に好ましい実施の形態において、プラグソケットすなわちコンセントがハウジング基部の外側に形成されており、該コンセントは、ハウジング基部を貫通して突き出す複数の接続ピンを取り巻いており、これらの接続ピンは、好ましくは、接続ピンの内端がプリント回路板の接点穴内に直接挿入されるような仕方にて、ハウジング内でプリント回路板と接続されている。このようにして、計器の内部配線を省くことができる。
【０００７】
数字目盛盤、いろいろな電光標識（ｌｉｇｈｔ  ｓｙｍｂｌｅ）及び表示装置を照明することが必要とされるならば、更なる簡略化が可能である。この場合、このために要求される光源は、共通のプリント回路板に同様に取り付けられる。光を分配するため、照明すべき物と関係した光源との間を伸びる光ガイドが使用される。
【０００８】
多くの更なる努力を払うことなく、表示装置には、いろいろな機能を付与することができる。基本的な機能は、合計距離を表示することである。選択可能な機能は、特に、トリップメータ（再設定可能）、時間、燃料の充填量及び油温度又は全体として、１つの機能から別の機能に切り換えることができる車両搭載コンピュータの機能である。この実施の形態において、制御電子装置は、マイクロコンピュータを備えており、また、使用時に与えられるパラメータ、構造状態及び機能の選択への適応は、個別に適応させたソフトウェアをインストールするだけで簡単に行われる。
【０００９】
本発明の更なる有利な効果及び特徴は、添付図面を参照しつつ、以下の説明を読むことによって明らかになるであろう。
【発明を実施するための最良の形態】
【００１０】
図６には、機械的駆動体が分解した状態にある従来のタコメータ指針計器が示されている。タコメータ指針計器は、ハウジング基部１２及び透明なハウジングカバー１４を有するハウジング１０と、オートバイの速度を表示する指針１８を有する数字目盛盤１６とを備えている。指針１８は機械的指針駆動体によって駆動することができる。数字目盛盤１６は、キロメータカウンタ２２と、点滅制御（ｆｌａｓｈｅｒ  ｃｏｎｔｒｏｌ）標識２４と、幾つかのその他の制御標識２６とを更に備えている。
【００１１】
図１に図示したタコメータ指針計器は、ハウジング基部３２を有するハウジング３０と、ハウジング基部３２内に受け入れられた指針駆動モジュール３４とを備えている。指針駆動モジュール３４は、共通のプリント回路板４２上に構成されたステッピングモータ３６と、制御エレクトロニクスすなわち電子装置３８（図２に概略図的に図示）と、表示装置４０とを有している。プリント回路板４２の上方には、白熱電球４４が配置されている。ステッピングモータ３６を有する共通のプリント回路板４２、制御電子装置３８及び表示装置４０は、図２により明確に図示されている。ステッピングモータ３６は、ステッピングモータ３６を覆う数字目盛盤の指針を駆動するために設けられ且つハウジング内に収容されている。数字目盛盤はオートバイの速度をアナログ式に表示するためのものである。計器を組み立てた状態のとき、表示装置４０は数字目盛盤に一体化される。ＬＣＤ（液晶ディスプレイ）であることが好ましい表示装置４０によって、追加的な情報を表示することができる。基本的機能は、合計距離を表示するものであることが好ましい。選択可能な機能は、合計距離、再設定可能なトリップメータ、燃料の充填量、時間、油の温度及び（又は）全体として車両搭載コンピュータの機能とすることができる。異なる機能は１つから別のものへ切り換えることができる。制御電子装置３８は、表示装置４０及びステッピングモータ３６の制御装置を含んでいる。好ましい実施の形態において、制御電子装置３８はマイクロコンピュータを備えており、制御電子装置の機能性は、マイクロコンピュータにて作動する個別に適応させたソフトウェアによって決定される。このようにして、使用時に与えられたパラメータ、構造状態及び機能性の選択に対する適応は、個別に適応させたソフトウェアをインストールするだけで簡単に実現することができる。
【００１２】
ハウジング３０は、表示装置４０を有する数字目盛盤をハウジングカバーを通して見ることができるように、少なくとも部分的に透明なハウジングカバーを更に備えている。図１には、ハウジングが開かれ且つ数字目盛盤が除去された状態のタコメータ指針計器が図示されている。本発明によるタコメータ指針計器のハウジングカバーは、基本的に、図６に図示した従来のタコメータ指針計器のカバー１４に相応する。本発明によるタコメータ指針計器の数字目盛盤は、表示装置４０を受け入れるリセス部と、好ましくは、照明可能である幾つかのその他の制御標識とを備えている。
【００１３】
図１には、プリント回路板４２の上方に配置された白熱ランプ４４によって数字目盛盤が照明されるタコメータ指針計器の１つの実施の形態が図示されている。
図２において、プリント回路板４２には、光ガイド５２が光学的に接続される幾つかの光放出構成要素５０が取り付けられている。光放出構成要素５０は、発光ダイオード（ＬＥＤｓ）であることが好ましい。光ガイド５２は、光放出構成要素５０及び数字目盛盤と指針との間を伸びて、これらを照明する。
【００１４】
図３には、プリント回路板４２上で光放出構成要素５０と光学的に接続された光ガイド５２が照明可能である数字目盛盤の標識と関係付けられた、本発明によるタコメータ指針計器の１つの実施の形態が図示されている。図３は、また、数字目盛盤が除去された状態のハウジングを示すため、図３にて標識は見ることはできないが、関係付けられた光ガイド５２が終わる箇所に隣接する選んだ位置にて標識が数字目盛盤に表示されている。
【００１５】
図４は、ハウジング基部３２の下側部の斜視図である。ハウジング基部の外側には、ハウジング基部３２に貫入する複数の接続ピン６２（図５を参照）を取り巻くコンセント６０が形成されている。タコメータ指針計器を組み立てた状態にて、接続ピン６２はハウジング内でプリント回路板４２と接続される。好ましくは、接続ピン６２の内端はプリント回路板４２の接点穴内に直接挿入され、このため、計器に対する内部配線は不要である。
【００１６】
図５に図示するように、ハウジング基部は、図５に対して、その下端縁に凹部７０を有しており、プリント回路板４２の端縁を該凹部内に装着することができる。タコメータ指針計器を組み立てた状態のとき、プリント回路板４２は凹部７０内に成形嵌め（ｆｏｒｍ−ｆｉｔｔｉｎｇ）状態で保持されている。このようにして、指針駆動軸の下方で数字目盛盤の表示装置に対する十分に大きい表面積が提供される。
【００１７】
支持構造体７６は、ハウジング基部３２に形成され、その上に指針駆動モジュール３４が締結される。支持構造体７６は、一体に成形されたドーム形状部分、ソケット又はポストの形態とすることができる。プリント回路板４２は、ねじ８０によって支持構造体７６に装着されることが好ましい。本発明の好ましい実施の形態によれば、プリント回路板４２は、支持構造体７６によってハウジング基部３２に配置される。このように、設置の許容公差は解消される。
【００１８】
図４及び図５から理解し得るように、貫通穴８２がハウジング基部３２に形成されており、タコメータ指針計器を組み立てた状態のとき、ステッピングモータ３６の指針駆動軸が該貫通穴８２を通って伸びる。
【００１９】
ステッピングモータ３６、制御電子装置３８及び表示装置４０は、異なるハウジング構造体内に容易に受け入れることができる共通のプリント回路板４２上に一体化されているため、本発明によるタコメータ指針計器の指針駆動モジュールは大量に製造し、本発明による指針駆動モジュールの製造が極めて経済的であるようにすることができる。
【図面の簡単な説明】
【００２０】
【図１】ハウジングが開いて且つ数字目盛盤が除去された、タコメータの組み合わせ計器の頂面図である。
【図２】計器の駆動及び表示モジュールの図である。
【図３】図１と同様であるが、光が駆動及び表示モジュールのプリント回路板から開始して、光ガイドにより分配される、１つの実施の形態の図である。
【図４】ハウジング器具の下側部の斜視図である。
【図５】組立体を示す斜視図である。
【図６】機械的駆動体を有する従来のタコメータ指針計器の取り外した状態の斜視図である。
【符号の説明】
【００２１】
１０    ハウジング                      １２    ハウジング基部
１４    ハウジングカバー                １６    数字目盛盤
１８    指針                            ２２    キロメータカウンタ
２４    点滅制御標識                    ２６    その他の制御標識
３０    ハウジング                      ３２    ハウジング基部
３４    指針駆動モジュール              ３６    ステッピングモータ
３８    制御電子装置                    ４０    表示装置
４２    プリント回路板                  ４４    白熱電球
５０    光放出構成要素                  ５２    光ガイド
６０    コンセント                      ６２    接続ピン
７０    凹部                            ７６    支持構造体
８０    ねじ                            ８２    貫通穴
【図１】
2004212397.tif 000003
【図２】
2004212397.tif 000004
【図３】
2004212397.tif 000005
【図４】
2004212397.tif 000006
【図５】
2004212397.tif 000007
【図６】
2004212397.tif 000008